(57)【特許請求の範囲】
【請求項１】
絶縁被覆心線と撚合介在物を撚り合わせた撚合心線群の外側に外部被覆を有する多心電線の、該外部被覆を外部被覆切割刃で切り割り剥離し、前記撚合心線群の撚合介在物を分離し、絶縁被覆心線の導体金属材と絶縁被覆材を分離して、電線構成材を回収する廃棄多心電線の解体方法において、
電線外径レーザー測定装置１の電線外径測定値に対応して切割刃突出長さ制御部６により選定される前記切割刃５１の被覆切込み深さｄでは、各種多心電線の種々の厚さの外部被覆を切り込み貫くには不足する該切割刃５１の突出長さ不足分を、多心電線の種類別に補完するための被覆貫通補完長さΔＤを、前記制御部６にあらかじめ入力設定しておき、
解体する多心電線を手で持って電線外径レーザー測定装置１に差し入れて電線外径を測定し、該電線外径レーザー測定装置から出力される電線外径測定値信号を電線挟持間隔制御部４と切割刃突出長さ制御部６に入力し、
前記の電線挟持間隔制御部４により電線挟持間隔が制御される電線挟持移送回転ベルト装置３に前記の外径を測定した多心電線を手で差し入れて該回転ベルトにより該電線を挟持移送し、
前記の電線外径測定値に対応して前記切割刃突出長さ制御部６により選定される外部被覆切割刃５１の被覆切込み深さｄに対し、前記多心電線の種類別の被覆貫通補完長さΔＤを加算して該切割刃５１の被覆貫通長さＬがＬ＝ｄ＋ΔＤとなるように、該切割刃５１の被覆貫通長さＬを前記切割刃突出長さ制御部６により制御して、前記電線挟持移送回転ベルト装置で挟持移送される多心電線の外部被覆を長手方向に該切割刃５１で切り割り剥離し、
前記の外部被覆が剥離された内部の撚合心線群Ｃの周囲に巻回されている撚合心線押さえ巻テープＴを真空吸引により取り除き回収し、
前記の撚合心線押さえ巻テープＴが除去された撚合心線群Ｃを、回動ローラ支持回転枠８３の内側の回動ローラ８２で挟み、該回動ローラ支持回転枠８３を撚合心線進行方向を回転軸心方向とし撚合心線撚り方向に該撚合心線群Ｃの周囲を回転させることにより、該撚合心線群Ｃの絶縁被覆心線Ｃ１と撚合介在物Ｋが絡み合わないように各々の撚合隣接順を保持して各絶縁被覆心線Ｃ１と撚合介在物Ｋの撚り合わせを解き、前記の撚合隣接順が保持されて撚り合わせが解かれた絶縁被覆心線Ｃ１と撚合介在物Ｋを心線分離整列ローラ８４で分離並列させ、
前記の分離並列する心線群Ｃ０の撚合介在物Ｋを真空吸引して分離回収し、
前記の撚合介在物Ｋが分離されて並列する絶縁被覆心線Ｃ１を心線絶縁被覆押潰ローラ装置１０に送給して絶縁被覆を押し潰し、
前記の絶縁被覆が押し潰された絶縁被覆心線をペレットに細断し、導体金属材と絶縁被覆材に選別して回収する、ことを特徴とする廃棄多心電線の解体方法。
【請求項２】
絶縁被覆心線と撚合介在物を撚り合わせた撚合心線群の外側に外部被覆を有する多心電線の外径を測定する電線外径レーザー測定装置１と、
前記の外径を測定した電線を電線挿入ガイド２を通して導入し１対の回転ベルト３１の間に挟持して移送する電線挟持移送回転ベルト装置３と、
前記電線挿入ガイド２の電線挿通間隔と電線挟持移送回転ベルト装置３の電線挟持間隔を、前記電線外径レーザー測定装置１の電線外径測定値に対応して制御する電線挟持間隔制御部４と、
前記の電線挟持移送回転ベルト装置３において挟持移送される電線の両側に外部被覆切割刃５１を突出配置する外部被覆切割装置５と、
前記電線外径レーザー測定装置１の電線外径測定値に対応して前記外部被覆切割刃５１の被覆切込み深さｄを選定し、かつ、多心電線の種類別に前記切割刃５１の突出長さの不足分を補完する被覆貫通補完長さΔＤをあらかじめ入力設定しておき、前記電線外径測定値に対応する前記切割刃５１の被覆切込み深さｄに対し前記の多心電線の種類別の被覆貫通補完長さΔＤを加算して該切割刃５１の被覆貫通長さＬをＬ＝ｄ＋ΔＤとなるように制御する切割刃突出長さ制御部６と、
前記の外部被覆切割刃で切り割られた外部被覆をその切割間隙において分離ガイドする切割被覆分離ガイド７と、
前記の外部被覆が剥離された内部の撚合心線群Ｃの外周の撚合心線押さえ巻テープＴを真空吸引して除去する真空吸引装置９と、
前記の撚合心線押さえ巻テープＴが吸引除去された撚合心線群Ｃを挟む回動ローラ８２を内側に支持して、撚合心線進行方向を回転軸心方向とし撚合心線撚り方向に該撚合心線群Ｃの周囲を回転することにより、該撚合心線群Ｃの絶縁被覆心線Ｃ１と撚合介在物Ｋが絡み合わないように各々の撚合隣接順を保持して撚り合わせを解く回動ローラ支持回転枠８３と、
前記の絶縁被覆心線Ｃ１と撚合介在物Ｋが撚り合わせを解かれて撚合隣接順に分離並列する分離並列心線群Ｃ０を該分離並列状態に保持して移送する心線分離整列ローラ８４と、
前記の分離並列心線群Ｃ０の撚合介在物Ｋを真空吸引して分離回収する真空吸引装置９と、
前記の撚合介在物Ｋが分離された絶縁被覆心線Ｃ１を回転ローラの周速度が互いに異なる１対の回転ローラで両側から挟んで該心線の各絶縁被覆を押し潰す心線絶縁被覆押潰ローラ装置１０と、
前記の絶縁被覆が押し潰された絶縁被覆心線を細かいペレットに細断するペレット細断回転刃装置１１と、
前記の細断された絶縁被覆心線ペレットを導体金属ペレットと絶縁被覆材ペレットに選別する導体・絶縁被覆ペレット選別装置１２と、を具備することを特徴とする廃棄多心電線の解体装置。
【請求項３】
多心電線の外部被覆を切り割り剥離し内部の撚合心線群の撚り合わせを解いて解体する廃棄多心電線の解体方法において、撚合心線群Ｃの外周の撚合心線押さえ巻テープＴを、真空吸引装置９ｃで真空吸引して取り除き回収することを特徴とする廃棄多心電線の撚合心線押さえ巻テープの除去回収方法。
【請求項４】
多心電線の外部被覆を切り割り剥離し内部の撚合心線群の絶縁被覆心線と撚合介在物を分離して回収する廃棄多心電線の解体方法において、
前記撚合心線群Ｃの撚合を解いて絶縁被覆心線Ｃ１と撚合介在物Ｋを分離並列させた分離並列心線群Ｃ０を、真空吸引装置９に移送し、該撚合介在物Ｋを真空吸引することにより、撚合介在物Ｋを絶縁被覆心線Ｃ１から分離して回収することを特徴とする廃棄多心電線の撚合介在物の分離回収方法。
【請求項５】
多心電線の外部被覆を切り割り剥離して内部の撚合心線群の絶縁被覆心線と撚合介在物を分離し回収する廃棄多心電線の解体装置において、
前記の撚合心線群Ｃを固定押さえローラ８１で押さえ、該固定押さえローラ８１を通過した撚合心線群Ｃを、回動ローラ支持回転枠８３の内側に支持した回動ローラ８２で挟み、該回動ローラ支持回転枠８３を、撚合心線進行方向を回転軸心方向とし撚合心線撚り方向に該撚合心線群Ｃの周囲を回転させることにより、撚合心線群Ｃの絶縁被覆心線Ｃ１と撚合介在物Ｋが絡み合わないように撚合隣接順を保持して絶縁被覆心線Ｃ１と撚合介在物Ｋの撚り合わせを解き、前記の撚合隣接順が保持されて撚り合わせが解かれた絶縁被覆心線Ｃ１と撚合介在物Ｋを心線分離整列ローラ８４で分離並列させて移送する、ことを特徴とする廃棄多心電線の撚合心線・介在物分離並列装置。
【請求項６】
多心電線の外部被覆を外部被覆切割刃５１で切り割り内側の絶縁被覆心線の絶縁被覆を被覆押潰ローラで押し潰して剥離する廃棄多心電線の解体装置において、前記被覆押潰ローラを、回転ローラの周速度が互いに異なる１対の回転ローラ１０ａ、１０ｂで構成し、前記の両回転ローラ１０ａ、１０ｂで絶縁被覆心線を挟んで絶縁被覆を押し潰すことを特徴とする廃棄多心電線の心線絶縁被覆押潰ローラ装置。
【発明の詳細な説明】
【０００１】
【発明の属する技術分野】
本発明は、廃棄多心電線を解体して被覆材と撚合介在物及び導体金属を分離し回収する方法及びその装置に関するものである。
【０００２】
【従来の技術】
廃棄物の処理にあたり環境汚染物質の排出を制限し廃棄資源の有効活用のためリサイクル制度が制定され、廃棄電線の解体においても、再利用可能な電線構成材料を回収することが要請されているが、従来の電線の解体は、細い単心電線の場合は絶縁被覆をカッターで切り裂き剥離して内部の銅線を回収し、心線が複数条の多心電線の場合は、例えば図１２に示すような３心の多心電線Ａの外部被覆Ｂをカッターで切り裂いて剥離し、さらに内部の撚合心線群Ｃの外周に巻回されている薄いプラスチックテープ等の押さえ巻きテープＴを手で取り除いてから、撚合心線群Ｃを手で持って、撚合心線の撚り合せを１条づつ手で解きながら、紙テープやジュウト等の紐状の撚合介在物Ｋを絶縁被覆心線Ｃ１から分離して取り除き、絶縁被覆心線Ｃ１の絶縁被覆Ｅをカッターで剥離して、金属導体Ｆを回収していた。
【０００３】
廃棄電線の被覆を剥離して導体を回収する公知の装置は、上下に配置したローラの一方を、電線を挟持しながら被覆を押し切るローラと被覆を長手方向に切断するツィンカッターローラと裁断ローラとの三種のローラで構成し、電線の種類や外径に応じて三種のローラを使い分けるようにした実開平２−２２０１０号の被覆電線の皮膜剥離装置が公知である。また、電線ガイド回転盤に設けた種々径の異なる複数の電線貫通孔内にそれぞれ切断刃を突出させ、電線径に適合する貫通孔を選択して電線を挿入して被覆を切り裂き、この電線を円錐筒に挿通して被覆を分離するようにした特開平８−３１２５０号の電線分別装置が公知である。また、切断刃突出量規制溝を有する電線切込部と電線分離円錐筒を備えた特開平８−３３９７３０号の電線分別装置が公知である。また、金属外被電気ケーブルを、金属外被剥取機で金属外被とケーブルコアに分離し、分離した金属外被を外被切断機で連続的に外被チップに切断して搬送し、ケーブルコアをコア切断機でみじん切りしてコアチップとし、分離機で金属粒子と絶縁物粒子に分離し回収するようにした特開昭５０−１１４５８２号の金属外被電気ケーブルの解体方法が公知である。また、電線ケーブルを押し込み機で解体部へ送り、被覆を皮剥機の切断刃で長手方向に切裂くとともに適当長さ毎に円周方向に切断して落下させ、露出導体を心線切断刃で小片に分断してカッタミルに送り込むようにした特開昭５０−１２９９８１号の電線ケーブルの解体装置が公知である。
【０００４】
【発明が解決しようとする課題】
従来の、複数条の絶縁被覆心線を撚り合せた多心電線の外部被覆を剥離し、撚合心線と撚合介在物を分離し、心線の絶縁被覆を剥離して導体を回収する解体作業は、外部被覆を剥離した内部の撚合心線の外周に巻回されているプラスチックテープ等の押さえ巻きテープを手で取り除き、内部の撚合心線の長く連続する絶縁被覆心線と紙テープやジュウト等の紐条撚合介在物とが複数条撚り合せられた撚合心線を手で持って、その撚り合せを１条づつ手で解きながら、撚合介在物を絶縁被覆心線から分離して取り除き、心線の絶縁被覆を剥離して導体を回収していたが、この撚り合せられた絶縁被覆心線の金属導体は電線製造時の心線撚合工程において撚り癖がついているために、その心線相互の堅い撚り合せを手で１条づつ解いて絶縁被覆心線と撚合介在物を分離する作業は、手を傷つけやすく腕力と熟練を要し、未経験で体力の弱い者では、撚合介在物を絶縁被覆心線から分離して完全に取り除く作業を安全に行うことが困難であった。
【０００５】
前記の撚合介在物の分離、除去が不完全で紙テープやジュウト等の介在物の細片が絶縁被覆心線に付着しもしくは残存していると、絶縁被覆心線のＰＶＣ等のプラスチック絶縁被覆を剥離し絶縁被覆材ペレットと導体金属ペレットに細断してリサイクル材として分離、回収しようとしても、残存する紙テープやジュウト等の介在物の細片がペレット中に不純物として混入し、リサイクル可能な資材としての分離、回収を困難にしていた。
【０００６】
また、撚合心線の撚り合せを腕力で解きながら撚合介在物を絶縁被覆心線から手で分離して取り除く際に、紙やジュウト等の介在物の粉塵が多量に生じ、この粉塵は静電気を利用しても除去することができず、作業者の健康を害するという問題点があった。
【０００７】
また、介在物が残存していると、絶縁被覆心線材の回収のためペレットに細断する際に、残存介在物が絶縁被覆心線と一緒に細断装置にかかって細断刃の切れが損なわれ、その補修のため解体作業を中断せざるを得なかった。
【０００８】
また、太い多心電線を解体するには、種々異なる外径の電線ごとにその外部被覆の厚さに適合するように被覆切裂刃の切り込み深さを選択しなければならないが、各種多心電線の外部被覆の厚さはすべて電線外径に正確に対応しているとは限らず、外径が同じでも多心電線の種類が異なれば内部心線を保護する外部被覆の肉厚が異なる場合があるので、電線外径のみに対応させて被覆切裂刃の切り込み深さを選択するのでは外部被覆の切込み深さが不充分な場合があり完全に切り裂くことができない。被覆切裂刃の切り込み深さを各種の電線の外部被覆の種々異なる厚さに適応させて切り裂くために、各種の電線ごとにその切断面を出して外部被覆の厚さを測定するのでは多くの手数と時間がかかり実施困難である。
【０００９】
また、心線導体の絶縁被覆の剥離に被覆圧潰ローラを用いて心線の絶縁被覆をローラで押し潰して剥離する際に、絶縁被覆が厚いと剥離が不完全になる欠点がある。さらに、異なる太さの電線ごとに適合するように電線の移送装置を調整することも容易ではない。このため従来は太さが異なる種々の廃棄多心電線を効率よく速やかに解体することは困難であった。
【００１０】
本発明は前記の課題を解決し、絶縁被覆心線と撚合介在物を撚り合わせた撚合心線群の外側に外部被覆を有する各種の多心電線を解体して電線構成材を分離し回収するに当たって、電線挟持移送装置の電線挟持間隔を電線外径に適合するように制御し、外部被覆を完全に切り割ることができるように外部被覆切割刃の突出長さを電線外径に対応して制御し、外部被覆を切り割り剥離した内側の撚合心線群の撚り合せを解いて絶縁被覆心線と撚合介在物の分離、回収を完全に行い、絶縁被覆心線の絶縁被覆の圧潰剥離を確実にして、絶縁被覆材と導体金属材をリサイクル可能に分離し回収する廃棄多心電線の解体作業を、経験の無い体力の弱い者でも安全、容易に、かつ効率よく迅速に行うことを可能にした廃棄多心電線の解体方法及びその装置を提供することを目的とする。
【００１１】
【課題を解決するための手段】
前記の課題を解決するため本発明の廃棄多心電線の解体方法及び装置は、以下の（１）の解体方法、及び（２）の解体装置、及び（３）撚合心線押さえ巻テープの除去回収方法、及び（４）の撚合介在物の分離回収方法、及び（５）の撚合心線・介在物分離並列装置、及び（６）の心線絶縁被覆押潰ローラ装置のように構成したことを特徴とするものである。
【００１２】
（１）本発明の廃棄多心電線の解体方法は（図１参照）、絶縁被覆心線と撚合介在物を撚り合わせた撚合心線群の外側に外部被覆を有する多心電線の、該外部被覆を外部被覆切割刃で切り割り剥離し、撚合心線群の撚合介在物を分離し、絶縁被覆心線の導体金属材と絶縁被覆材を分離して、電線構成材を回収する廃棄多心電線の解体方法において、
電線外径レーザー測定装置１の電線外径測定値に対応して切割刃突出長さ制御部６により選定される前記切割刃５１の被覆切込み深さｄでは、各種多心電線の種々の厚さの外部被覆を切り込み貫くには不足する該切割刃５１の突出長さ不足分を、多心電線の種類別に補完するための被覆貫通補完長さΔＤを、前記制御部６にあらかじめ入力設定しておき、
解体する多心電線を手で持って電線外径レーザー測定装置１に差し入れて電線外径を測定し、該電線外径レーザー測定装置から出力される電線外径測定値信号を電線挟持間隔制御部４と切割刃突出長さ制御部６に入力し、
前記の電線挟持間隔制御部４により電線挟持間隔が制御される電線挟持移送回転ベルト装置３に前記の外径を測定した多心電線を手で差し入れて該回転ベルトにより該電線を挟持移送し、
前記の電線外径測定値に対応して前記切割刃突出長さ制御部６により選定される外部被覆切割刃５１の被覆切込み深さｄに対し、前記多心電線の種類別の被覆貫通補完長さΔＤを加算して該切割刃５１の被覆貫通長さＬがＬ＝ｄ＋ΔＤとなるように、該切割刃５１の被覆貫通長さＬを前記切割刃突出長さ制御部６により制御して、前記電線挟持移送回転ベルト装置で挟持移送される多心電線の外部被覆を長手方向に該切割刃５１で切り割り剥離し、
前記の外部被覆が剥離された内部の撚合心線群Ｃの周囲に巻回されている撚合心線押さえ巻テープＴを真空吸引装置９ｃで真空吸引して剥離し、
前記の撚合心線押さえ巻テープＴが除去された撚合心線群Ｃを、回動ローラ支持回転枠８３の内側の回動ローラ８２で挟み、該回動ローラ支持回転枠８３を撚合心線進行方向を回転軸心方向とし撚合心線撚り方向に該撚合心線群Ｃの周囲を回転させることにより、該撚合心線群Ｃの絶縁被覆心線Ｃ１と撚合介在物Ｋが絡み合わないように各々の撚合隣接順を保持して各絶縁被覆心線Ｃ１と撚合介在物Ｋの撚り合わせを解き、前記の撚合隣接順が保持されて撚り合わせが解かれた絶縁被覆心線Ｃ１と撚合介在物Ｋを心線分離整列ローラ８４で分離並列させ、
前記の分離並列する絶縁被覆心線Ｃ１と撚合介在物Ｋを真空吸引装置９ａに通し該撚合介在物Ｋを真空吸引して該絶縁被覆心線Ｃ１から分離し、
前記の撚合介在物Ｋが分離されて並列する絶縁被覆心線Ｃ１を心線絶縁被覆押潰ローラ装置１０に送給して絶縁被覆を押し潰し、
前記の絶縁被覆が押し潰された絶縁被覆心線をペレットに細断し、導体金属材と絶縁被覆材に選別して回収する、ことを特徴とする方法である。
【００１３】
（２）本発明の廃棄多心電線の解体装置は、絶縁被覆心線と撚合介在物を撚り合わせた撚合心線群の外側に外部被覆を有する多心電線の外径を測定する電線外径レーザー測定装置１と（図１、図２参照）、
前記の外径を測定した電線を電線挿入ガイド２を通して導入し１対の回転ベルト３１の間に挟持して移送する電線挟持移送回転ベルト装置３と、（図２〜図４）前記電線挿入ガイド２の電線挿通間隔と電線挟持移送回転ベルト装置３の電線挟持間隔を前記電線外径レーザー測定装置１の電線外径測定値に対応して制御する電線挟持間隔制御部４と（図１〜図５参照）、
前記の電線挟持移送回転ベルト装置３において挟持移送される電線の両側に外部被覆切割刃５１を突出配置する外部被覆切割装置５と（図２、図６参照）、
前記電線外径レーザー測定装置１の電線外径測定値に対応して前記外部被覆切割刃５１の被覆切込み深さｄを選定し、かつ、多心電線の種類別に前記切割刃５１の突出長さの不足分を補完する被覆貫通補完長さΔＤをあらかじめ入力設定しておき、前記電線外径測定値に対応する前記切割刃５１の被覆切込み深さｄに対し前記多心電線の種類別の被覆貫通補完長さΔＤを加算して該切割刃５１の被覆貫通長さＬをＬ＝ｄ＋ΔＤとなるように制御する切割刃突出長さ制御部６と（図２図６参照）、
前記の外部被覆切割刃で切り割られた外部被覆をその切割間隙において分離ガイドする切割被覆分離ガイド７と（図２参照）、
前記の外部被覆が剥離された撚合心線群Ｃの外周の撚合心線押さえ巻テープＴを真空吸引して剥離する真空吸引装置９ｃと（図１、図７〜図９参照）、
前記の撚合心線押さえ巻テープＴが吸引剥離された撚合心線群Ｃを挟む回動ローラ８２を内側に支持し、撚合心線進行方向を回転軸心方向とし撚合心線撚り方向に該撚合心線群Ｃの周囲を回転することにより、該撚合心線群Ｃの絶縁被覆心線Ｃ１と撚合介在物Ｋが絡み合わないように各々の撚合隣接順を保持して絶縁被覆心線Ｃ１と撚合介在物Ｋの撚り合わせを解く回動ローラ支持回転枠８３と、
前記の絶縁被覆心線Ｃ１と撚合介在物Ｋが撚り合わせを解かれて撚合隣接順に分離並列する分離並列心線群Ｃ０を該分離並列状態に保持して移送する心線分離整列ローラ８４と（図１、図７参照）、
前記の分離並列心線群Ｃ０の撚合介在物Ｋを真空吸引して分離回収する真空吸引装置９と（図１、図７、図８参照）
前記の撚合介在物Ｋが分離された絶縁被覆心線Ｃ１を回転ローラの周速度が互いに異なる１対の回転ローラで両側から挟んで該心線の絶縁被覆を押し潰す心線絶縁被覆押潰ローラ装置１０と（図１、図１０参照）、
前記の絶縁被覆が押し潰された絶縁被覆心線を細かいペレットに細断するペレット細断回転刃装置１１と（図１、図１１参照）、
前記の細断された絶縁被覆心線ペレットを導体金属ペレットと絶縁被覆材ペレットに選別する導体・絶縁被覆ペレット選別装置１２と（図１参照）、を具備することを特徴とする装置である。
【００１４】
（３）本発明の廃棄多心電線の撚合心線押さえ巻テープの除去回収方法は、（図７、図９参照）、多心電線の外部被覆を切り割り剥離し内部の撚合心線群の撚り合わせを解いて解体する廃棄多心電線の解体方法において、
前記撚合心線群Ｃの外周の撚合心線押さえ巻テープＴを、真空吸引装置９ｃで真空吸引して取り除き回収することを特徴とする方法である。
【００１５】
（４）本発明の廃棄多心電線の撚合介在物分離回収方法は（図７、図８参照）、多心電線の外部被覆を切り割り剥離し内部の撚合心線群の絶縁被覆心線と撚合介在物を分離して回収する廃棄多心電線の解体方法において、
前記撚合心線群Ｃの撚り合わせを解いて絶縁被覆心線Ｃ１と撚合介在物Ｋを分離並列させた分離並列心線群Ｃ０を、真空吸引装置９に移送し、該撚合介在物Ｋを真空吸引することにより、撚合介在物Ｋを絶縁被覆心線Ｃ１から分離して回収することを特徴とする方法である。
【００１６】
（５）本発明の廃棄多心電線の撚合心線・介在物分離並列装置は（図７参照）、多心電線の外部被覆を切り割り剥離して内部の撚合心線群の絶縁被覆心線と撚合介在物を分離し回収する廃棄多心電線の解体装置において、
前記の撚合心線群Ｃを固定押さえローラ８１で押さえ、該固定押さえローラ８１を通過した撚合心線群Ｃを、回動ローラ支持回転枠８３の内側に支持した回動ローラ８２で挟み、該回動ローラ支持回転枠８３を撚合心線進行方向を回転軸心方向とし撚合心線撚り方向に該撚合心線群Ｃの周囲を回転させることにより、撚合心線群Ｃの絶縁被覆心線Ｃ１と撚合介在物Ｋが絡み合わないように撚合隣接順を保持して絶縁被覆心線Ｃ１と撚合介在物Ｋの撚り合わせを解き、前記の撚合隣接順が保持されて撚り合わせが解かれた絶縁被覆心線Ｃ１と撚合介在物Ｋを心線分離整列ローラ８４で分離並列させる、ことを特徴とする装置である。
【００１７】
（６）本発明の廃棄多心電線解体装置の心線絶縁被覆押潰ローラ装置は（図１１参照）、多心電線の外部被覆を外部被覆切割刃５１で切り割り内側の絶縁被覆心線の絶縁被覆を被覆押潰ローラで押し潰して剥離する廃棄多心電線解体装置において、前記被覆押潰ローラを、回転ローラの周速度が互いに異なる１対の回転ローラ１０ａ、１０ｂで構成し、前記の両回転ローラ１０ａ、１０ｂで絶縁被覆心線を挟んで絶縁被覆を押し潰すことを特徴とする装置である。
【００１８】
前記（１）〜（６）のように構成した本発明において、解体される廃棄多心電線は、図１２に示すように、心線導体Ｆにプラスチック絶縁被覆Ｅを被覆した絶縁被覆心線Ｃ１の複数条例えば３条の絶縁被覆心線Ｃ１と、その撚り合わせ間隙を埋める紙テープやジュウト等の紐状の撚合介在物Ｋが、一緒に撚り合わせられて撚合心線群Ｃが構成され、この撚合心線群Ｃの撚り合わせが解けないように外周を押さえる薄いプラスチックテープ等の撚合心線押さえ巻きテープＴ（図では太線の破線で図示）が巻回され、その外側にプラスチック被覆やプラスチックと他のテープとの複合被覆等からなる外部被覆Ｂが施されて多心電線Ａが構成されており、解体のために収集された各種多数の廃棄多心電線はその種類、太さや長さが種々雑多で混在する。本発明の方法及び装置は、この太さが異なる各種の多心電線Ａの外部被覆Ｂをすべて確実に切り割り剥離して回収し、内部の撚合心線群Ｃの解体は、従来のように人手を使うことなく、押さえ巻きテープＴを剥離回収し、撚合心線群Ｃの撚り合わせを自動的に解いて、撚合介在物Ｋを断片を残すことなく完全に取り除いて回収し、絶縁被覆心線Ｃ１の絶縁被覆Ｅを剥離し、導体金属ペレットと絶縁被覆材ペレットを分離して回収するものである。
【００１９】
このため本発明の方法は、まず、解体する各種の多心電線Ａの１本づつを手で持って、本発明の工程を流れ平面図で略示した図１の左端部に示す電線外径レーザー測定装置１に差し入れて電線外径を測定し、次いでこの電線を直ちに電線挿入ガイド２に手で差し入れる。この電線を電線外径レーザー測定装置１に差し入れる作業は、解体する多数の電線の太さと種類が異なる電線ごとに電線外径を測定し、同一種の同じ太さの電線群ごとに纏められていれば、その同種同径の電線群の１本を初めに該測定装置１に差し入れて外径を測定して、その電線を直ちに電線挿入ガイド２に差し入れ、その残りの電線は、同種同径なので該測定装置１への差し入れ外径測定は省略して１本づつ電線挿入ガイド２に差し入れる。または解体する多数の各種の電線の１本づつを該測定装置１に差し入れて電線外径を測定して、電線挿入ガイド２に差し入れる。このように電線外径レーザー測定装置１が各々の電線外径を測定すると、該測定装置１から外径測定値信号が出力されて、電線挿入ガイド２と電線挟持移送回転ベルト装置３の間隔を制御する電線挟持間隔制御部４に送られ、同時にこの外径測定値信号が外部被覆切割装置５の切割刃突出長さ制御部６にも送られる。
【００２０】
前記の電線外径レーザー測定装置１で外径を測定した多心電線Ａを差し入れる電線挿入ガイド２は、図２に示すように、電線挟持移送回転ベルト装置３の電線差し入れ端側に配置され、この電線挿入ガイド２の相対するガイド板２１の間に電線Ａを手で差し入れると、この電線を電線挟持移送回転ベルト装置３の回転ベルトの間に挟持するようにガイドする。
【００２１】
電線挟持移送回転ベルト装置３は、図１〜図４に示すように、１対の無端回転ベルト３１が電線Ａを挟持する間隔を空けて相対し、両回転ベルト間の電線挟持間隔は種々の多心電線Ａの太さに対応するように電線挟持間隔制御部４により制御され、電線挿入ガイド２を通して送給される電線Ａはこの回転ベルト３１で挟持されてベルト進行方向に移送される。
【００２２】
前記の電線挿入ガイド２の電線挿通間隔と、電線挟持移送回転ベルト装置３の電線挟持間隔は、電線挟持間隔制御部４により制御される。電線挟持間隔制御部４は、前記の電線外径レーザー測定装置１の電線外径測定値信号を受け、この外径測定値に対応して、電線挿入ガイド２の相対するガイド板間の電線挿通間隔を制御するとともに、電線挟持移送回転ベルト装置３の相対する回転ベルト３１の電線挟持間隔を制御する。これにより送給される多心電線Ａの外径が異なるごとにその太さの電線が確実に挿通、挟持される。
【００２３】
前記の電線挟持移送回転ベルト装置３で挟持されて移送される多心電線Ａの外部被覆Ｂを上下両側で長手方向に切り割るために、図１、図２に示すように外部被覆切割装置５を設ける。この外部被覆切割装置５は、相対する回転ベルト３１で挟持されて移送される電線Ａの上下両側面に相対するようにそれぞれ外部被覆切割刃５１の刃先を突出させて設置する。この外部被覆切割刃５１は、各種の多心電線の種々の厚さの外部被覆に対して切り込み貫けるように該切割刃５１の突出長さが切割刃突出長さ制御部６により制御される。
【００２４】
一般に用途、耐電圧等が同じ同種同型の多心電線は外径が同じであれば外部被覆の厚さもほぼ同等であり、多心電線Ａの外径が大ならば多数の内部心線を保護する外部被覆Ｂの厚さは厚く、小径ならば外部被覆Ｂの厚さも薄いので、この外部被覆Ｂを外部被覆切割刃５１で電線長手方向に切り割るには、多心電線の外径を測定しその測定値に対応して、電線外径が大ならば外部被覆Ｂの肉厚が厚いのでその厚い肉厚に対応するように該切割刃５１の刃先が切込む深さを大にし、電線外径が小ならば外部被覆Ｂの薄い肉厚に対応するように該切割刃５１の刃先が切込む深さが小になるように制御して外部被覆を切り割ることができるならば、解体する電線の外径が異なるごとに電線断面を露呈させて外部被覆の厚さを測定するような手数と時間をかける必要がなくなり、切り割り作業が容易になる。このため電線外径レーザー測定装置１で解体する多心電線Ａの外径を測定し、この電線外径測定値の大小に対応して外部被覆の肉厚も大小に変わるので、この電線外径測定値信号を受けた切割刃突出長さ制御部６により、外部被覆切割刃５１の被覆切込み深さを選定する。本発明においては、この電線外径測定値に対応して前記制御部６により選定される前記切割刃５１の被覆に切込む深さを「被覆切込み深さ」と定義し、その深さの値をｄとして「被覆切込み深さｄ」とする。
【００２５】
前記のように各種の多心電線の外部被覆を切り割るに当たって、電線外径を測定しその外径測定値に対応する外部被覆切割刃５１の被覆切込み深さを設定するだけで外部被覆を完全に切り割ることができるのであれば便利であるが、解体される多数の各種多心電線の型は多様なので、前記のように該切割刃５１の被覆切込み深さを電線外径測定値だけに対応させて設定するだけでは、太い多心電線の外部被覆の種々異なる厚さの被覆すべてを完全に切り込み貫くには該切割刃５１の突出長さが必ずしも充分でない。電線の外径が同じであれば各種の多心電線の外部被覆の厚さはすべて同じ厚さとは限らず、外径が同じでも電線の用途、型等の種類が異なれば多数の内部心線を保護するための外部被覆Ｂの厚さも異なる。配電ケーブルと通信ケーブルでは異なり、配電ケーブルでも屋外用と屋内用では異なり、電圧によっても異なり、使用目的や布設態様によっても種類が異なる。このため前記のように多心電線の外径が異なるごとにその外部被覆に対する外部被覆切割刃５１の被覆切込み深さｄを電線外径測定値に対応させて選定しても、電線外径が同じ多心電線であってもその種類によっては外部被覆の肉厚が厚すぎて該切割刃５１の被覆切込み深さｄが充分でなく、その刃先が外部被覆を完全に切り込み貫くには該切割刃５１の突出長さが不足する場合がある。
【００２６】
本発明は、前記のような各種の多心電線の種々異なる厚さの外部被覆に対して外部被覆切割刃５１の刃先を完全に切り込み貫かせるために、該切割刃５１の刃先の突出長さが不足することがないように制御する。即ち外部被覆の厚さが厚い種類の多心電線の外部被覆を該切割刃５１が完全に切り込み貫くためには、電線外径レーザー測定装置１の電線外径測定値に対応して切割刃突出長さ制御部６により選定される該切割刃５１の被覆切込み深さｄの値では、該切割刃５１の突出長さが不足する種類の多心電線に対しては、該制御部６により選定される被覆切込み深さｄに対して、該切割刃５１の突出長さの不足長さ分を加算し補完して、該切割刃５１が外部被覆を切込み貫くに足る充分な長さに突出するように調整する。この各種多心電線の外部被覆の種々の厚さに対する該切割刃５１の突出長さの不足長さ分の補完は、多心電線の種類により外部被覆の厚さが異なるので各種多心電線の種類別に補完する。
【００２７】
前記のように、電線外径測定値に対応して前記制御部６により選定される外部被覆切割刃５１の被覆切込み深さｄの値に対し、各種多心電線の種類別に該切割刃５１の刃先の突出長さの不足分を補完して、外部被覆を完全に切込み貫く長さに突出させる該切割刃の補完長さ分を、本発明では「被覆貫通補完長さ」と定義し、その長さの値をΔＤとして「被覆貫通補完長さΔＤ」とする（ｄ、ΔＤは図１２参照）。前記の外部被覆切割刃５１の刃先の突出長さの制御は、前記の電線外径測定値に対応して前記制御部６により選定される該切割刃５１の被覆切込み深さｄに対し、多心電線の種類別の被覆貫通補完長さΔＤを加算して、該切割刃５１の刃先の被覆貫通長さＬを、Ｌ＝ｄ＋ΔＤとなるように前記制御部６により制御する。このように電線外径測定値に対応して選定される被覆切込み深さｄに対して加算する多心電線の種類別の被覆貫通補完長さΔＤは、解体する電線を電線外径レーザー測定装置１に差し入れて電線外径を測定する前に、外部被覆切割刃突出長さ制御部６のパソコン記憶装置に該被覆貫通補完長さΔＤの数値をあらかじめインプットして設定しておく。このようにインプットしておけば、解体する電線を先ず電線外径レーザー測定装置１に差し入れると、電線外径測定値に応じて前記切割刃５１の刃先の被覆貫通長さＬが前記のｄ＋ΔＤとなるように自動的に制御される。
【００２８】
前記の切割刃５１の突出長さの多心電線の種類別の調整は以下のように行う。外径が同じ多心電線であっても、例えば種類Ｖ、Ｗ、Ｘ、Ｙ等の各種多心電線のうち、種類Ｖの多心電線の外部被覆は厚さが最も薄いものと仮定してこの厚さをδ０とし、種類Ｗの多心電線の外部被覆厚さは種類Ｖよりも厚いδ１とし、種類Ｘの多心電線の外部被覆厚さはさらに厚いδ２とし、種類Ｙの多心電線の外部被覆厚さはさらに厚いδ３と仮定し、種類Ｗの外部被覆の厚さδ１は種類Ｖの外部被覆厚さδ０よりもδ１−δ０＝ΔＤ１だけ肉厚であり、種類Ｘの外部被覆厚さδ２は種類Ｖの外部被覆厚さδ０よりもδ２−δ０＝ΔＤ２だけ肉厚であり、種類Ｙの外部被覆厚さδ３は種類Ｖの外部被覆厚さδ０よりもδ３−δ０＝ΔＤ３だけ肉厚であると仮定する。このＶ、Ｗ、Ｘ、Ｙ各種の多心電線の外部被覆に対して外部被覆切割刃５１の刃先が完全に切り込み貫くには、種類Ｖの多心電線の外部被覆厚さが最も薄いδ０である場合は、該切割刃５１の被覆貫通長さＬは、電線外径測定値に対応して切割刃突出長さ制御部６により選定される切割刃５１の被覆切込み深さｄと同じとして充分であるように該制御部６による前記ｄの値を設定する。このため種類Ｖの多心電線の外径測定値に対応して該制御部６により該切割刃５１の被覆切込み深さｄが選定されると、この被覆切込み深さｄの値をそのまま被覆貫通長さＬの値として切割刃５１の突出長さに不足はなく、これに更に突出長さを補完する必要はない。
【００２９】
これに対し、種類Ｖよりも外部被覆の厚さが肉厚なＷ、Ｘ、Ｙの各種の多心電線の場合は、種類Ｖの外部被覆の前記最低厚さδ０に対してＷ、Ｘ、Ｙの種類別にΔＤ１、ΔＤ２、ΔＤ３だけ厚くなる肉厚差がある。このＷ、Ｘ、Ｙの種類別に外部被覆が厚くなる肉厚差があるということは、前記切割刃５１が外部被覆を切込み貫くことが可能な切割刃の突出長さとしては、種類Ｖの多心電線のように被覆貫通長さＬが被覆切込み深さｄと同じ切割刃突出長さに設定してしまうと、種類Ｗ、Ｘ、Ｙの各多心電線の場合はその種類別にΔＤ１、ΔＤ２、ΔＤ３の肉厚差だけ外部被覆貫通長さＬが不足するということである。この切割刃突出長さの不足分は、種類Ｗ、Ｘ、Ｙの各外部被覆を完全に切込み貫くためには、種類Ｖの被覆貫通長さＬ（＝被覆切込み深さｄ）の値に対して、この種類別の不足長さ分ΔＤ１、ΔＤ２、ΔＤ３だけ加算し補完する必要があり、前記切割刃５１の突出長さをこの種類別にΔＤ１、ΔＤ２、ΔＤ３だけ長く突出させなければならない。すなわちこのＷ、Ｘ、Ｙの種類別の肉厚差ΔＤ１、ΔＤ２、ΔＤ３は前記の多心電線の種類別の「被覆貫通補完長さΔＤ」に相当することになる。
【００３０】
前記のように電線外径測定値が同じでも種類別に外部被覆の肉厚差がある各種の多心電線に対して外部被覆切割刃５１の被覆貫通長さＬを設定する具体例は以下のようになる。例えばＶ、Ｗ、Ｘ、Ｙの各種類の多心電線のうち、外部被覆の厚さが最も薄いδ０の種類Ｖの多心電線の場合は、前記切割刃５１の被覆貫通長さＬは、前記の電線外径測定値に対応する被覆切込み深さｄと同じであって補完する必要はなく、前記の被覆貫通補完長さΔＤ０がゼロであり、電線外径測定値に対応して前記制御部６により選定される被覆切込み深さｄの値が被覆貫通長さＬの値となる。種類Ｗ、Ｘ、Ｙの各多心電線の場合の該切割刃５１の被覆貫通長さＬについては、種類Ｗの多心電線の場合は、その外部被覆厚さδ１が前記種類Ｖの外部被覆厚さδ０よりも厚く肉厚差ΔＤ１だけ厚いので、この肉厚差ΔＤ１を例えば０．５ｍｍと仮定すると、このΔＤ１＝０．５ｍｍが、前記の多心電線の種類別の（種類Ｗの）被覆貫通補完長さΔＤとなる。同様に種類Ｘの多心電線の場合は、その外部被覆厚さδ２が前記種類Ｖの外部被覆厚さδ０よりも厚く肉厚差ΔＤ２だけ厚いので、この肉厚差ΔＤ２を例えば０．７ｍｍとすると、このΔＤ２＝０．７ｍｍが前記の多心電線の種類別の（種類Ｘの）被覆貫通補完長さΔＤとなり、種類Ｙの多心電線の場合は、その外部被覆厚さδ３が前記種類Ｖの外部被覆厚さδ０よりも厚く肉厚差ΔＤ３だけ厚いので、この肉厚差ΔＤ３を例えば１．０ｍｍとすると、このΔＤ３＝１．０ｍｍが前記の多心電線の種類別の（種類Ｙの）被覆貫通補完長さΔＤとなる。
【００３１】
前記の多心電線の各種類別の被覆貫通補完長さΔＤの各数値を、解体する電線を電線外径レーザー測定装置１に差し入れて電線外径を測定する前に、切割刃突出長さ制御部６にあらかじめ入力し設定しておく。各種多心電線のうち種類Ｖは前記切割刃５１の被覆貫通長さＬが前記被覆切込み深さｄと同じなので被覆貫通補完長さΔＤ０は０とし、種類Ｗの場合は被覆貫通補完長さΔＤ１を０．５ｍｍとし、種類Ｘは被覆貫通補完長さΔＤ２を０．７ｍｍとし、種類Ｙは被覆貫通補完長さΔＤ３を１．０ｍｍとして前記制御部６にインプットして設定しておく。この多心電線の各種類別の被覆貫通補完長さΔＤの前記制御部６へのインプット設定は、該制御部６の制御盤パネルに設けられた被覆貫通補完長さ設定操作摘み（図２の６１参照）を操作して行い、例えば多心電線の種類Ｖ、Ｗ、Ｘ、Ｙ等の種類別に前記被覆貫通補完長さΔＤ０、ΔＤ１、ΔＤ２、ΔＤ３の各数値を図２に示す種類別の被覆貫通補完長さ設定操作摘み６１Ｖ、６１Ｗ、６１Ｘ、６１Ｙを操作して該制御部６にインプットし設定する。また、解体される各種多心電線の種類別の区別は、該制御部６の制御盤パネルに設けられた電線種類別指定摘み（図２の６２参照）を操作して行い、例えば多心電線の種類がＶ又はＷ、Ｘ、Ｙならば、それら各種の多心電線を電線挿入ガイド２に挿入する直前ごとに、それぞれ、その挿入される多心電線の種類を図２に示す電線種類別指定摘み６２を操作してＶ又はＷ、Ｘ、Ｙと指定して該制御部６のパソコン記憶装置にインプットし設定する。
【００３２】
前記のように、多心電線の各種類別の被覆貫通補完長さΔＤを切割刃突出長さ制御部６にあらかじめインプットして設定しておき、解体される多心電線の種類を電線挿入ガイド２に差し入れる前に電線種類別指定摘み６２で指定すれば、各種の多心電線の外径を電線外径レーザー測定装置１で測定して、多心電線の種類が異なっても各々の外径測定値が同じで被覆切割刃突出長さ制御部６において選定される外部被覆切割刃５１の被覆切込み深さｄが同じに選定された場合に、種類Ｖを指定した電線の場合は該切割刃５１の被覆貫通長さＬが被覆切込み深さｄと同じ突出長さになるが、これとは外部被覆厚さが異なる種類Ｗ、Ｘ、Ｙを指定した多心電線では、その種類別に、前記の選定される被覆切込み深さｄに対し、種類Ｗの電線では被覆貫通補完長さΔＤ１＝０．５ｍｍが加算されて切割刃５１の被覆貫通長さＬはｄ＋０．５ｍｍとなり、種類Ｘの電線では被覆貫通補完長さΔＤ２＝０．７ｍｍが加算されて切割刃５１の被覆貫通長さＬはｄ＋０．５ｍｍとなり、種類Ｙの電線は被覆貫通補完長さΔＤ３＝１．０ｍｍが加算されて切割刃５１の被覆貫通長さＬはｄ＋１．０ｍｍとなるように被覆切割刃突出長さ制御部６により制御される。
【００３３】
前記のように解体される各種の多心電線の各々に対する前記切割刃５１の被覆貫通長さＬの値の設定は、各々の多心電線を電線外径レーザー測定装置１に差し入れて電線外径を測定するごとに、前記制御部６のパソコンにより自動的に算定され設定される。このように電線外径レーザー測定装置１の電線外径測定値が同じであっても、外部被覆切割刃５１の被覆貫通長さが、多心電線の種類別に外部被覆の種々異なる厚さに適合するように、被覆切割刃突出長さ制御部６により制御されるので、各種多心電線の外部被覆の厚さが種々異なってもすべて完全に切り込み貫いて切り割ることが可能になる。この被覆貫通補完長さΔＤは、各種多心電線の種類が同じならば外部被覆の厚さも殆ど大差の無いほぼ同程度の厚さであるから、多心電線の種類別に充分な被覆貫通補完長さΔＤを設定すればよい。かりにこの被覆貫通補完長さΔＤが大きすぎて該切割刃５１の被覆貫通長さＬが突出しすぎ外部被覆を切り込みすぎて内部の撚合心線群Ｃの絶縁被覆心線Ｃ１や介在物Ｋまで切り込むようなことがあっても、解体される廃棄電線であるから差支えない。
【００３４】
前記のように外部被覆切割刃５１の被覆貫通長さＬを充分な被覆貫通長さに設定するとにより、該切割刃５１の刃先が、多心電線Ａの外部被覆Ｂを上下両側面で完全に貫通し電線長手方向に切り裂くことができ、さらにその外部被覆Ｂの内側面直下にあって撚合心線群の外周に巻回されている薄い撚合心線押さえ巻きテープＴをも撚合心線群の上下両側面で電線長手方向に切り裂く。この外部被覆Ｂが電線長手方向に切り割られ剥離された内部の撚合心線群の外周に巻回されている撚合心線押さえ巻きテープＴが外部被覆Ｂとともに電線長手方向に切り裂かれることにより（該押さえ巻きテープＴの撚合心線群上下両側面における電線長手方向の切り裂き部は図９にＴｃで図示されている）、後段の工程にて撚合心線群の表面に残存付着する押さえ巻きテープＴの切り裂き片を真空吸引により剥離し回収することが可能になる。
【００３５】
前記のように、解体する多心電線Ａを電線外径レーザー測定装置１に差し入れてその外径を測定し、この電線を図１、図２に示す電線挿入ガイド２に通して電線挟持移送回転ベルト装置３により挟持移送させ、この挟持移送される電線Ａの外部被覆Ｂがその上下両面において電線長手方向に外部被覆切割刃５１で切り割られると、この切り割られた外部被覆Ｂの切割条片は、上下の両切割間隙にそれぞれ設置された各切割被覆分離ガイド７により左右に分離され電線挟持移送回転ベルト装置３の両側外方にガイドされて引き取られる。
【００３６】
前記の外部被覆Ｂが長手方向に切り割られ切割被覆分離ガイド７により分離されて剥離された外部被覆の内面に接していた撚合心線群Ｃは、その外周に巻回されている薄いプラスチックテープ等の撚合心線押さえ巻きテープＴが、上下両側で前記切割刃５１の刃先により外部被覆の切り割りと一緒に切り裂かれ（該テープＴの切り裂き部は図９のＴｃ参照）、その切り裂き片が撚合心線群Ｃの外周面に付着残存しており、このテープ切り裂き片が外周面に付着残存する状態で撚合心線群Ｃが電線挟持移送回転ベルト装置３により送り出されて前方に進行し、連続的に真空吸引装置９ｃを通過する。この真空吸引装置９ｃを通過するときに該装置９ｃの真空吸引ブロワーにより、撚合心線群Ｃの外周面に付着残存している撚合心線押さえ巻きテープＴの切り裂き片が真空吸引されて撚合心線群Ｃの周面から取り除かれて回収される（図９参照）。前記テープＴの真空吸引除去は、図１と図７に示す実施形態では、撚合心線・介在物分離並列装置８の固定押さえローラ８１と回動ローラ支持回転枠８３の間の位置に真空吸引装置９ｃを設置して真空吸引する例を示したが、撚合心線・介在物分離並列装置８の前段位置、即ち該装置８の前端の固定押さえローラ８１と電線挟持移送回転ベルト装置３の後端の切割被覆分離ガイド７との間の位置に真空吸引装置９ｃを設置して、切割被覆分離ガイド７を撚合心線群Ｃが通過後直ちに周面の前記テープＴを真空吸引するようにしてもよい。
【００３７】
前記の外部被覆Ｂが切り割り剥離され撚合心線押さえ巻テープＴが真空吸引除去されて移送進行する撚合心線群Ｃは、撚合心線・介在物分離並列装置８において、絶縁被覆心線Ｃ１と撚合介在物Ｋの撚り合わせが解かれて分離され並列された状態の分離並列心線群Ｃ０となって、後段に移送される。この撚合心線・介在物分離並列装置８は、前段から送り込まれる撚合心線群Ｃを押さえる固定押さえローラ８１と、回動ローラ８２を内側に支持する回動ローラ支持回転枠８３と、心線分離整列ローラ８４とを備え（図７参照）、前段の電線挟持移送回転ベルト装置３から移送される撚合心線群Ｃを、固定押さえローラ８１を通過させてから回動ローラ８２に通し、この撚合心線群Ｃを挟んだ回動ローラ８２を内側に支持する回動ローラ支持回転枠８３を、心線進行方向を回転軸心方向とし心線撚り方向に撚合心線群Ｃの周囲を回転させる。この回動ローラ支持回転枠８３の撚合心線群Ｃの周囲の回転とともに回動ローラ８２も撚合心線群Ｃの周囲を心線撚り方向に回動することにより、回動ローラ８２が撚合心線群Ｃの絶縁被覆心線Ｃ１と撚合介在物Ｋを撚り合わせ方向に押しながら回動するので、絶縁被覆心線Ｃ１と撚合介在物Ｋは絡み合わないように撚合隣接順に並列させられて、絶縁被覆心線Ｃ１と撚合介在物Ｋの撚り合わせが解かれる。この撚合心線の撚り合わせの解除が撚合心線を繰り出す電線挟持移送回転ベルト装置３側の撚合心線群Ｃに波及してその撚合が解け各線条がばらけないないように、前記の撚り合わせの解除の波及を阻止するために、送給側の撚合心線群Ｃを固定押さえローラ８１で挟んで押さえる。撚り合わせが解かれて撚合隣接順に並列する絶縁被覆心線Ｃ１と撚合介在物Ｋは、心線分離整列ローラ８４により、撚合隣接順に分離並列する状態が保持された分離並列心線群Ｃ０となって、次段に移送される。このように撚合心線群Ｃを撚合心線・介在物分離並列装置８に通すことにより、撚り合わせられた絶縁被覆心線Ｃ１と撚合介在物Ｋは、従来のように手で１条づつ撚り合わせを解く必要がなく、自動的に撚り合わせが解かれて整列される。
【００３８】
前記のように絶縁被覆心線Ｃ１と撚合介在物Ｋの撚り合わせが解かれ心線分離整列ローラ８４により分離並列されて移送される分離並列心線群Ｃ０は、図１に示す前記心線分離整列ローラ８４とペレット細断回転刃装置１１の間において、真空吸引装置９を通ることにより、撚合介在物Ｋが真空吸引装置９のブロワーにより真空吸引されて絶縁被覆心線Ｃ１から分離され回収される（図８参照）。図１と図７に示す実施形態では、心線分離整列ローラ８４と心線絶縁被覆押潰ローラ装置１０の間に第１の真空吸引装置９ａを設置し、さらにこの心線絶縁被覆押潰ローラ装置１０とペレット細断回転刃装置１１の間に第２の真空吸引装置９ｂを設置して、この前段の第１の真空吸引装置９ａにより撚合介在物Ｋを真空吸引して絶縁被覆心線Ｃ１から分離し取り除いて回収し、この撚合介在物Ｋが分離除去された絶縁被覆心線Ｃ１の表面に介在物残存片が付着残存していれば、次段の第２の真空吸引装置９ｂによりこの介在物残存片を真空吸引して、撚合介在物Ｋを完全に吸引し取り除いて回収する。図１と図７に示す実施形態は、心線分離整列ローラ８４と心線絶縁被覆押潰ローラ装置１０の間及び心線絶縁被覆押潰ローラ装置１０とペレット細断回転刃装置１１の間の両方に真空吸引装置９ａ、９ｂを設置したが、いずれか一方即ち心線分離整列ローラ８４と心線絶縁被覆押潰ローラ装置１０の間のみに真空吸引装置９ａを設置し、又は心線絶縁被覆押潰ローラ装置１０とペレット細断回転刃装置１１の間のみに真空吸引装置９ｂを設置してもよい。前記のように、絶縁被覆心線Ｃ１と一緒に撚り合わせられた撚合介在物Ｋは、従来のように撚合心線の撚り合わせを１条づつ手で解いて取り除く必要がなく、自動的に真空吸引されて絶縁被覆心線から分離され、断片が残ることなく完全に取り除かれて回収される。また、該介在物Ｋは真空吸引されるので粉塵が生じないから、粉塵により作業者の健康が害されるという従来の問題点が解消される。
【００３９】
前記のように分離並列心線群Ｃ０が真空吸引装置９（９ａ、９ｂ）を通過して撚合介在物Ｋが真空吸引分離された絶縁被覆心線Ｃ１は、図１と図１０に示す心線絶縁被覆押潰ローラ装置１０を通ることにより絶縁被覆Ｅが押し潰される。この心線絶縁被覆押潰ローラ装置１０は、回転ローラの回転の周速度が互いに異なる１対の回転ローラ１０ａ、１０ｂを備え、この回転の周速度が異なる両回転ローラ１０ａ、１０ｂの間に挟まれて絶縁被覆心線Ｃ１が移行することにより、絶縁被覆Ｅの一方の側面部分と反対側の側面部分が不均一な押圧力を受けて歪み、ひび割れして厚い絶縁被覆でも確実に割られて剥離し易いように押し潰される。図１と図１０に示す実施形態では、前段に設置した第１の真空吸引装置９ａにより分離並列心線群Ｃ０の撚合介在物Ｋが真空吸引されて、分離された絶縁被覆心線Ｃ１が心線絶縁被覆押潰ローラ装置１０に送給される例を示したが、前記第１の真空吸引装置９ａを省略して前記第２の真空吸引装置９ｂだけを用い、これを心線絶縁被覆押潰ローラ装置１０とペレット細断回転刃装置１１の間に設置した場合は、絶縁被覆心線Ｃ１と撚合介在物Ｋが一緒に心線絶縁被覆押潰ローラ装置１０に移送され絶縁被覆心線Ｃ１の絶縁被覆Ｅが押し潰される。なお、前記の図１０に示す上下１対の回転ローラ１０ａ、１０ｂからなる心線絶縁被覆押潰ローラ装置１０は、後記の図１１に示すペレット細断回転刃装置１１における上下１対の抑えローラ１１ｃを該回転ローラ１０ａ、１０ｂと同様に異なる回転周速度で回転させることにより、図１０に示す心線絶縁被覆押潰ローラ装置１０の代わりに心線絶縁被覆押潰ローラ装置として使用するすることもできる。
【００４０】
前記の絶縁被覆が押し潰された絶縁被覆心線Ｃ１は、後段のペレット細断回転刃装置１１に移行する。このペレット細断回転刃装置１１は、図１と図１１に示すように、回転板１１ａの周面に歯車状に刃１１ｂを有し、この回転刃に向けて前記の絶縁被覆心線Ｃ１の先端を送給し続けて突き当てることにより絶縁被覆心線の先端部がペレットＰに細かく切断される。図１１に示す絶縁被覆心線Ｃ１を上下両側から挟む１対の両抑えローラ１１ｃは、前記した心線絶縁被覆押潰ローラ装置１０の上下１対の回転ローラと同様に、異なる回転周速度で回転させることにより、前記の心線絶縁被覆押潰ローラ装置１０に代わる心線絶縁被覆押潰ローラ装置とすることもできる。このペレット細断回転刃装置１１に入る絶縁被覆心線Ｃ１には、撚合介在物ｋが完全に真空吸引されて付着残存していないので、従来の、介在物により細断刃の切れが損なわれるという問題点が解消される。
【００４１】
前記の絶縁被覆心線が細断された多数のペレットＰは図１に示す導体・絶縁被覆ペレット選別装置１２に送給されて導体金属ペレットＰ１と絶縁被覆材ペレットＰ２に選別される。この両ペレットＰ１、Ｐ２の選別は，前記選別装置１２のブロワー１２ａの強風中に細断ペレットＰを曝して、導体金属ペレットＰ１と絶縁被覆のプラスチック材ペレットＰ２の比重差により両ペレットＰ１、Ｐ２を異なる位置に落下集積させて選別するが、ブロワーのかわりに篩等を用いることもできる。この絶縁被覆ペレット選別装置１２に送給される細断ペレットＰには、既に介在物Ｋの断片が完全に真空吸引されて残存していないので、従来のように不純物として混入することがなく、リサイクル可能なＰＶＣ等のプラスチックペレットと導体金属ペレットとして回収される。
【００４２】
前記の撚合心線・介在物分離並列装置８は、複数条の心線を撚合した多心の撚合心線群Ｃが通るのを許容するだけでなく、１条の絶縁被覆心線だけの撚合介在物のない細い単線が通るのも許容するものであり、この場合、心線を挟み付ける固定押さえローラ８１（８１ａ、８１ｂ）と回動ローラ８２（８２ａ、８２ｂ）及び心線分離整列ローラ８４（８４ａ、８４ｂ）の間隔を開いて挟み付けを解除し、回動ローラ支持回転枠８３の回転を止めて、単心電線を電線挟持移送回転ベルト装置３に送給すれば、移送される単心電線は撚合心線・介在物分離並列装置８を抵抗無く通過することができ、各真空吸引装置９ｃ、９ａ、９ｂを通り（このとき電線表面に付着ゴミ等があれば真空吸引除去される）、絶縁被覆押潰ローラ１０を通って絶縁被覆が押し潰され、ペレット細断回転刃装置１１によりペレットに細かく切断され、導体・絶縁被覆ペレット選別装置１２により導体金属ペレットと絶縁被覆材ペレットに選別され、ゴミ等の不純物の混入がないリサイクル可能な資材として回収される。
【００４３】
【発明の実施の形態】
電線外径レーザー測定装置１は、図２に示すように、電線挟持移送回転ベルト装置３の電線送入口近傍に設置し、解体する廃棄多心電線Ａを手で持って該測定装置１の電線差入部１ａに差し入れると、電線外径がレーザーで計測されて電線外径測定値信号Ｓ１が電線挟持間隔制御部４と切割刃突出長さ制御部６に出力される。廃棄多心電線Ａは、例えば図１２に示すような３心であり、太さは断面積が３０〜６０ｍｍ２例えば３８ｍｍ２である。
【００４４】
電線外径レーザー測定装置１で外径を測定した電線Ａを差し入れる電線挿入ガイド２は、図２と図５に示すように、電線挟持移送回転ベルト装置３の電線差入端側に配置した上下に相対する１対のガイド板２１ａ、２１ｂを備える。電線外径レーザー測定装置１に手で持つて差し入れて外径を測定した電線Ａを、両ガイド板の電線挿入端テーパー面２２の間から両ガイド板２１ａ、２１ｂの間に差し入れ、または外径測定済の同種同径の電線群で外径測定を省略した電線Ａを手で持つて両ガイド板２１ａ、２１ｂの間に差し入れると、その電線先端部分がガイド板先端から出て電線挟持移送回転ベルト装置３の回転ベルト３１の間に真っ直ぐに挟持されるように両ガイド板が電線を挟んでガイドする。前記の電線挿入ガイド２は、両ガイド板２１ａ、２１ｂの間の電線挿通間隔を電線の太さに応じて可変にするために、両ガイド板２１ａ、２１ｂの間隔を調整可能に支持するガイド板支持装置２３を備える。
【００４５】
前記のガイド板支持装置２３は、例えば図５に示すように、中央部の両側に逆ねじを設けた螺子杆２５の両端側に両ガイド板２１ａ、２１ｂを支持し、電線挟持間隔制御部４からの制御信号Ｓ２を受けたサーボモータ２４等により、螺子杆２５を左又は右方向に所要回転数だけ回動させて両ガイド板２１ａ、２１ｂの間の電線挿通間隔ｇを調整する。該螺子杆２５の左又は右方向回動により両ガイド板２１ａ、２１ｂの支持杆が図５の矢印Ｏ方向に移動すると両ガイド板の間の電線挿通間隔ｇが開き、矢印Ｎ方向に移動すると電線挿通間隔ｇが狭くなる。解体される電線Ａが図２に示すように電線外径レーザー測定装置１に差し入れられると、その電線外径測定値信号Ｓ１を受けた電線挟持間隔制御部４が、図５に示すように電線外径測定値に対応した電線挿入ガイド制御信号Ｓ２を出力して前記のようにガイド板支持装置２３を制御し、両ガイド板２１ａ、２１ｂの間の電線挿通間隔ｇを電線外径測定値に対応して制御する。
【００４６】
前記の電線挟持移送回転ベルト装置３は、図２〜図４に示すように、電線を挟持し移送する回転ベルト３１を歯形、襞形等の凸条片付きゴムベルト製の１対の無端回転ベルト３１ａ、３１ｂで構成し、相対する両回転ベルト３１ａ、３１ｂの電線挟持間隔を電線の太さに応じて可変にするために、両回転ベルト３１を駆動する回転輪３２の回転軸位置を調整可能に支持する回転輪支持装置３３を備える。この回転輪支持装置３３は、例えば図３と図４に示すように、両回転ベルト３１ａ、３１ｂの各々について、それぞれ、回転ベルト両端部の各回転輪３２の回転軸の各軸受を支持する軸受支持部３３ｈと、この回転ベルト両端部の両軸受支持部３３ｈを連結する軸受連結杆３３ｊと、この軸受連結杆３３ｊの中間部に設けた雌螺子部３３ｋとを備える。（図３では回転ベルト３１ｂ側の符号３３のみにこの各符号３３ｈ、３３ｊ、３３ｋを並記したが、他方の回転ベルト３１ａの側の符号３３についても同じである）。前記の両回転ベルト３１ａ、３１ｂの各回転輪支持装置３３の各雌螺子部３３ｋを螺子杆３５の中央部両側の逆ねじ部にそれぞれ螺合させて取付け、この螺子杆３５を左又は右方向に所要回転数だけ回動させて両回転ベルト３１ａ、３１ｂの間の電線挟持間隔Ｇを調整する。
【００４７】
前記の螺子杆３５の回動は電線挟持間隔制御部４からの制御信号Ｓ３を受けたサーボモータ３４等により回動し、螺子杆３５の中央部両側の逆ねじ部に螺合した回転ベルト３１ａ側の雌螺子部３３ｋと回転ベルト３１ｂ側の雌螺子部３３ｋが図３、図４の矢印Ｏ方向に移動すると両回転ベルト３１ａ、３１ｂの電線Ａを挟持する間隔Ｇが開き、矢印Ｎ方向に移動すると電線挟持間隔Ｇが狭くなる。図４の３６は回転ベルト３１の回転輪３２を駆動する回転輪駆動モータである。解体される電線Ａが図２に示すように電線外径レーザー測定装置１に差し入れられると、その電線外径測定値信号を受けた電線挟持間隔制御部４が電線外径測定値に対応した電線挟持間隔制御信号Ｓ３を出力し前記のように回転輪支持装置３３を制御し両回転ベルト３１ａ、３１ｂの電線挟持間隔Ｇを電線外径測定値に対応して制御する。なお、前記の凸条片付きゴムベルトの無端回転ベルト３１は、図３ではベルトの外面のみに凸条片を図示したが、回転ベルト３１と回転輪３２の間の滑りを防いで両回転ベルト間の電線挟持移送力を確保するために、回転ベルトの内面に適宜の凹凸部（図３に凹凸部３７の一部分のみを略示）を設けるとともに、このベルト内面が接触する回転輪３２の周面に該ベルト内面の凹凸部３７に噛み合う凹凸部を形成する。
【００４８】
外部被覆切割装置５は、図２、図６に示すように、電線挟持移送回転ベルト装置３にて挟持移送される多心電線Ａの上下両面に外部被覆切割刃５１の刃先が相対して突出するように１対の切割刃５１（図６の５１ａ、５１ｂ）を配置する。この外部被覆切割刃５１は、各種多心電線の外部被覆の種々異なる厚さに対して該切割刃５１の刃先を切り込み貫かせるために、その刃先の突出長さが調整可能になるように切割刃支持部５２により取り付ける。この切割刃支持部５２は、例えば図６に示すように、中央部の両側に逆ねじを設けた螺子杆５４の両端に両切割刃５１ａ、５１ｂを支持杆で支持し、切割刃突出長さ制御部６からの制御信号Ｓ５を受けたサーボモータ５３等により、螺子杆５４を左又は右方向に所要回転数だけ回動させて両切割刃５１ａ、５１ｂの突出長さを制御する。螺子杆５４の左又は右方向回動により両切割刃５１ａ、５１ｂの支持杆が図６の矢印Ｏ方向に移動すると両切割刃５１ａ、５１ｂの刃先の間隔が開いて切割刃の突出長さが後退し、矢印Ｎ方向に移動すると両切割刃の刃先の間隔が狭くなって両刃先が相互に接近し電線Ａの外部被覆に切り込むように両切割刃の突出長さが前進する。
【００４９】
解体される電線Ａが図２に示すように電線外径レーザー測定装置１に差し入れられると、その電線外径測定値信号を受けた切割刃突出長さ制御部６が電線外径測定値に対応した切割刃の突出長さ制御信号Ｓ５を出力して前記のように切割刃支持部５２を制御し、この支持部５２に支持される両切割刃５１ａ、５１ｂの突出長さを電線外径測定値に対応して制御する。前記の外部被覆切割刃５１は図面ではナイフ形の刃を図示したが、回転円板形の刃でもよい。
【００５０】
前記の切割刃突出長さ制御部６は、電線外径レーザー測定装置１の近傍に設置された制御盤に組み込まれ、電線外径レーザー測定装置１から出力される電線外径測定値信号Ｓ１を受けて、前記の外部被覆切割装置５の切割刃支持部５２に対し電線外径測定値に対応した切割刃の突出長さ制御信号Ｓ５を出力するが、この制御部６には、前述した通り、解体する電線を電線外径レーザー測定装置１に差し入れて電線外径を測定する前に各種多心電線の種類別の被覆貫通補完長さΔＤの数値をあらかじめインプットして設定するので、このため図２に示すように、該制御部６の制御盤パネルに被覆貫通補完長さ設定操作摘み６１を設け、例えばＶ、Ｗ、Ｘ、Ｙ等の種類別に操作摘み６１Ｖ、６１Ｗ、６１Ｘ、６１Ｙを設け、この各操作摘み６１Ｖ〜Ｙを操作して多心電線の種類別の被覆貫通補完長さΔＤの数値をインプットし設定する。この種類別の前記ΔＤの設定は、例えば、前述した外部被覆の厚さが最も薄い種類Ｖの多心電線の場合は、前記切割刃５１の被覆貫通長さＬが電線外径測定値に対応する被覆切込み深さｄと同じで補完する必要はなく被覆貫通補完長さΔＤ０がゼロであるから、種類ＶのΔＤ０はゼロと設定操作摘み６１Ｖにより設定し、種類Ｗの多心電線の場合は、被覆貫通補完長さΔＤ１を例えば０．５ｍｍと設定操作摘み６１Ｗにより設定し、種類Ｘの多心電線では、被覆貫通補完長さΔＤ２を例えば０．７ｍｍと設定操作摘み６１Ｘにより設定し、種類Ｙの多心電線では、被覆貫通補完長さΔＤ３を例えば１．０ｍｍと設定操作摘み６１Ｙにより設定する。これらの被覆貫通補完長さ設定操作摘み６１は、前記のようにＶ、Ｗ、Ｘ、Ｙ等の各種類ごとに設けるかわりに、１個のみ設け、後記の電線種類別指定摘み６２の操作と組み合わせて操作することにより前記各種類ごとの被覆貫通補完長さΔＤの数値を設定するようにしてもよい。
【００５１】
また、前記の制御部６の制御盤パネルには、被覆貫通補完長さ操作摘み６１とは別に、解体される各種多心電線の種類別を指定する、例えばＶ、Ｗ、Ｘ、Ｙ等の種類を指定する電線種類別指定摘み６２を設け、解体される多心電線を電線挿入ガイド２に差し入れる前に、この電線種類別指定摘み６２を操作して、送給され解体される多心電線の種類がＶ、Ｗ、Ｘ、Ｙ等の何れであるかを制御部６のバソコン記憶装置にインプットする。解体される各々の多心電線を電線外径レーザー測定装置１に差し入れて外径測定する前に、前記の電線種類別指定摘み６２によりその電線の種類を指定して、電線外径レーザー測定装置１で電線外径を測定すれば、前記制御部６により、その種類の多心電線についてその外径測定値に対応する前記切割刃５１の被覆貫通長さＬが自動的に算定される。
【００５２】
前記の切割刃突出長さ制御部６は、多心電線の種類別の被覆貫通補完長さΔＤや種類別の指定の設定記録とは別に、前述したように解体される多心電線の外径を測定した電線外径レーザー測定装置１の電線外径測定値信号Ｓ１を受けると、この各々の電線について電線外径測定値に対応して外部被覆切割刃５１の被覆切込み深さｄの値を選定するが、この被覆切込み深さｄの値は該制御部６内において算定されるだけである。解体される多心電線の各々について、電線外径測定値に対応して算定される被覆切込み深さｄの値に対して、該切割刃５１の被覆貫通長さＬは、多心電線の種類別の被覆貫通補完長さΔＤが加算されてｄ＋ΔＤ＝Ｌと設定される。この切割刃５１の被覆貫通長さＬが、解体される多心電線が電線外径レーザー測定装置１により外径測定されるごとに該制御部６により自動的に算出設定されて、その結果の制御信号が外部被覆切割装置５に出力されて切割刃５１の突出長さを自動的に制御する。
【００５３】
切割被覆分離ガイド７は、図１と図２に示すように、電線挟持移送回転ベルト装置３において挟持移送される多心電線Ａの外部被覆Ｂの上下両側面部が外部被覆切割刃５１により切り割られる上下の各切割間隙にそれぞれ配置され、この電線の上下の切割間隙において切り割られて二分された外部被覆Ｂの切割条片を、それぞれ左右に分離して電線挟持移送回転ベルト装置３の両側外方に引き取られるようにガイドする。
【００５４】
撚合心線・介在物分離並列装置８は、図７に示すように、前部において移送される撚合心線群Ｃを挟む固定押さえローラ８１と、中間部の回動ローラ８２と、この回動ローラ８２を内側に支持する回動ローラ支持回転枠８３と、後部の心線分離整列ローラ８４とを備える。固定押さえローラ８１は１対のローラ８１ａ、８１ｂからなり、両ローラの間に挟まれた撚合心線群Ｃの進行により回動させられる。回動ローラ支持回転枠８３の内側に取り付けた回動ローラ８２は、１対のローラ８２ａ、８２ｂからなり、前記の固定押さえローラ８１を通過した撚合心線群Ｃを両側から挟み該心線群Ｃの進行により回動させられる。固定押さえローラ８１と回動ローラ８２の間隔は、撚合心線の撚合ピッチの少なくとも１ピッチ以上離間させ、例えばは１．５ピッチ又はそれ以上離間させる。回動ローラ支持回転枠８３は、撚合心線群Ｃの進行方向（図７の鎖線Ｘ−Ｘ方向）を回転軸心方向として、撚合心線の撚り方向（図７の左端の矢印Ｗ０方向）と同じ回転方向の矢印Ｚ方向に、撚合心線Ｃ群の周囲を回転する。この回動ローラ支持回転枠８３の回転駆動は図示を省略したがモータ等の回転駆動手段により回転させられる。撚合心線・介在物分離並列装置８の後部の心線分離整列ローラ８４は、１対のローラ８４ａ、８４ｂからなり、絶縁被覆心線Ｃ１と撚合介在物Ｋが分離して並列する分離並列心線群Ｃ０を両側から挟んで分離並列状態を保持し、該心線群Ｃの進行とともに回動する。図７の８４ｃは分離並列心線群Ｃ０の支受台である。
【００５５】
真空吸引装置９は、分離並列心線群Ｃ０の撚合介在物Ｋを真空吸引して分離し回収する真空吸引装置９ａ、９ｂ、及び撚合心線群Ｃの外周に巻回された撚合心線押さえ巻きテープＴを真空吸引して分離し回収する真空吸引装置９ｃである。撚合介在物Ｋを真空吸引する真空吸引装置９ａ、９ｂは、同じ構成であり、その１実施形態を示す図８のように、分離並列心線群Ｃ０の直下にノズル開口が配置される真空吸引ノズル９１を備え、ノズルの心線進入側の前側板部は上端部が心線進入側に向けて傾斜するテーパー板部９２に形成し、吸引ボックスカバー９４に真空吸引ブロワ９３を連結する。９５はこの真空吸引装置の下部に設置して真空吸引物を回収する回収トレイであり、図１に示す真空吸引装置９ｃと真空吸引装置９ａ、９ｂにわたって連続させて設置し、もしくは真空吸引装置９ａ、９ｂのみに設置する。図７に示す９８は必要に応じて真空吸引装置９ａ、９ｂ、９ｃの真空吸引ノズル９１上に設けるカバーであり、これは省略してもよい。
【００５６】
前記の真空吸引装置９ａ、９ｂの真空吸引ノズル９１の開口上を、分離並列心線群Ｃ０の並列する絶縁被覆心線Ｃ１と撚合介在物Ｋが連続通過すると、真空吸引ブロワ９３によるノズル開口内の吸引気流（破線矢印ｆ）により紐状の撚合介在物Ｋが連続的に吸引されて絶縁被覆心線Ｃ１から分離され吸引ボックスカバー９４内に吸引回収される。この吸引ボックスカバー９４内に回収された撚合介在物Ｋは回収トレイ９５により外部に取り出される。
【００５７】
撚合心線押さえ巻きテープＴを真空吸引する真空吸引装置９ｃは、その１実施形態を、進行する心線に対し直角な断面で図示した図９のように、真空吸引ノズル９１と真空吸引ブロワ９３を備え、真空吸引ノズル９１は、撚合心線押さえ巻きテープＴが既述した外部被覆Ｂの切り裂きと一緒に上下両側で切り裂かれて撚合心線群Ｃの周面に付着残存した状態で進入する撚合心線群Ｃに対し、図示のようにその両側部周面をノズル開口が囲んで開口するように配置し、又は少なくとも撚合心線群Ｃの下側面にノズル開口が開口するように配置し、該ノズル９１の下部のボックスカバー９４に真空吸引ブロワ９３を連結する。９２は進行する心線が進入する側のノズル前側板部であり、前記の図８に示した真空吸引装置９ａのテーパー板部９２と同様に、上端部が心線進入側に向けて傾斜するテーパー板部に形成する。９６は真空吸引ノズル９１の心線が通過する側の側板のノズル側面板上端に形成した電線通過開口縁である。９５は、前記の図８に示す実施形態と同様に、真空吸引装置９ｃの下部に設置する真空吸引物の回収トレイであり、前記の真空吸引装置９ａ、９ｂに設置する回収トレイと連続させて設置するか、又は真空吸引装置９ｃのみに設置する。
【００５８】
前記の真空吸引装置９ｃは、外周面の撚合心線押さえ巻きテープＴが上下両側で切り裂かれた撚合心線群Ｃが、電線挟持移送回転ベルト装置３（図１参照）により真空吸引ノズル９１上に移送されて図９の紙面から手前に向け直角方向に進行すると、撚合心線群Ｃの外周の撚合心線押さえ巻きテープＴは、図９に示すように上下両側の電線長手方向の切り裂き部Ｔｃで切り裂かれて左右に二分割されているので、ノズル上端部の吸気開口９７からノズル内に真空吸引される吸引気流（破線矢印ｆ）が、撚合心線群Ｃの左右両周面上の撚合心線押さえ巻きテープＴの二分割されたテープ片を吸引して撚合心線群Ｃの周面から剥離し、吸引ボックスカバー９４内に吸引回収する。この吸引ボックスカバー９４内に回収されたテープ吸引片は回収トレイ９５により外部に取り出される。
【００５９】
心線絶縁被覆押潰ローラ１０は、図１０に示すように、並列して進入する絶縁被覆心線Ｃ１群を両側から押し潰すように挟みつけながら排出前進させる方向に回転する１対の回転ローラ１０ａ、１０ｂを備え、両回転ローラ１０ａ、１０ｂは図示を省略した回転駆動モータにより互いに異なる周速度で回転する。この回転ローラ１０ａの回転の周速度と回転ローラ１０ｂの回転の周速度との速度比率は、両ローラの直径が同じ場合、１：４〜１：６の範囲の程度にする。１０ｃは絶縁被覆心線Ｃ１を支受する台である。この両回転ローラ１０ａ、１０ｂに挟みつけられた絶縁被覆心線Ｃ１の絶縁被覆Ｅは、一方の側面部分と反対側の側面部分が、両回転ローラの回転周速度の差異により異なる押し潰し力を受けて不均一に歪み被覆に亀裂Ｃｒが生ずるので、多数の心線群の厚い絶縁被覆でも確実に押し潰され割られて剥離し易くなる。両回転ローラ１０ａ、１０ｂの回転の周速度を所定の比率で異ならせるには、径が同じ両回転ローラについて、各回転ローラごとの両回転駆動モータの回転数を異ならせるか、又は、共通回転駆動モータの両回転ローラに対する回転伝達歯車の歯車比を異ならせるか、又は、共通回転駆動モータで駆動される両回転ローラの径を異ならせる等により、両回転ローラの回転周速度を異ならせる。前記の両回転ローラ１０ａ、１０ｂの間隔は、その間に挟つける絶縁被覆心線Ｃ１の径が大になるとその太さに応じて間隔が拡がり、電線径が小になるとその太さに応じて間隔が狭くなるように、両ローラ軸をスプリング等で支持して電線の太さに応じて弾力的に可変になるように構成する。
【００６０】
図１に上面図を示したペレット細断回転刃装置１１は、図１１に示すように、回転板１１ａの周面に歯車状に設けた多数の刃１１ｂを有し、前記の絶縁被覆が押し潰された絶縁被覆心線Ｃ１を上下から、抑えローラ１１ｃで挟みつけて抑えながら台１１ｄ上を移送し、その絶縁被覆心線の先端をこの回転刃１１ｂに向けて突き当てると、前記の押し潰されて亀裂が入った絶縁被覆と心線導体の先端が回転刃１１ｂによりペレットＰに細かく切断される。このとき絶縁被覆心線Ｃ１が回転刃１１ｂの食い込みにより回転板１１ａの回転とともに引きずり込まれないように、抑えローラ１１ｃで絶縁被覆心線Ｃ１を両側から挟み抑えつけて保持する。この抑えローラ１１ｃの回転は、絶縁被覆心線Ｃ１が台１１ｄ上を進行する速度に合致して回転するのではなく、心線Ｃ１の移送速度よりもやや遅い回転速度で回転し心線の進行に対し抵抗となるように回転することにより、心線Ｃ１が回転刃１１ｂに引き込まれないように抑える。または抑えローラ１１ｃの回転に対し若干の制動力を加えるような抵抗負荷を付与する。なお、前記の絶縁被覆心線Ｃ１を上下から挟む上下１対の両抑えローラ１１ｃを、図１０に示す絶縁被覆押潰ローラ１０の回転ローラ１０ａ、１０ｂと同様に、図示を省略した回転駆動モータにより互いに異なる回転周速度で回転させることにより、前記心線絶縁被覆押潰ローラ１０の代わりの心線絶縁被覆押潰ローラとすることができる。
【００６１】
図１に示す導体・絶縁被覆ペレット選別装置１２は、ブロワー１２ａを備え、その強空気流中に前記の細断ペレットＰを投入して、導体金属ペレットＰ１と絶縁被覆材のプラスチックペレットＰ２をその比重差により異なる位置に落下集積させて選別する。ブロワー１２ａのかわりに篩装置を用いて選別してもよい。この選別された導体金属ペレットとＰＶＣ等のプラスチックペレットはリサイクル材として回収される。
【００６２】
【発明の効果】
本発明は、前記のように、廃棄多心電線を解体して撚合心線群の撚合介在物を分離回収するに当たって、絶縁被覆心線と撚合介在物の撚り合わせを解いて分離整列させ、真空吸引装置を通過させて撚合介在物を真空吸引するので、絶縁被覆心線から撚合介在物が自動的に分離されて完全に断片が残ることなく回収され、従来のように粉塵が生ぜず作業者の健康を害するおそれがない。しかも、従来のように撚合心線の撚り合せを手で１条づつ解いて撚合介在物を分離する手作業をする必要がなく、効率良く撚合介在物を分離回収することができる。
【００６３】
また、撚合心線群の絶縁被覆心線と撚合介在物の撚り合わせを解いて分離整列させる作業は、人手を使わずに、撚合心線群を撚合心線・介在物分離並列装置８に通すだけでよく、撚合心線群を挟んだ回動ローラ８２の支持回転枠８３を、撚合心線進行方向を回転軸心方向として撚合心線撚り方向に該撚合心線群の周囲を回転させることにより、絶縁被覆心線と撚合介在物が絡み合わないように撚合隣接順を保持して撚り合わせを解くことができる。しかも固定押さえローラ８１により撚合の解除が撚合心線群の送給側に波及するのを防ぐことができ、撚合が解かれた絶縁被覆心線と撚合介在物を心線分離整列ローラ８４により分離並列させて次段工程に移送するので、撚合心線群の絶縁被覆心線と撚合介在物の堅い撚り合せを解く作業を、従来のように手で持って撚り合せの１条づつを腕力で解く怪我をし易い作業をする必要がなく、体力の弱い末経験者でも安全、容易に行うことが可能になる。
【００６４】
また、撚合心線群の周面に巻回されている撚合心線押さえ巻きテープも、真空吸引により自動的に取り除いて回収するので、従来のように撚合心線群を手で持って押さえ巻きテープを撚合心線群外周面から手で剥離する作業をする必要がなく、迅速に剥離し回収することができる。
【００６５】
また、絶縁被覆が押し潰された絶縁被覆心線をペレット細断回転刃装置でペレットに細断する際に、撚合介在物は真空吸引されて付着残存していないので、従来のように残存介在物により細断刃の切れが損なわれることがない。
【００６６】
また、前記の細断されたペレットを導体・絶縁被覆ペレット選別装置で導体金属ペレットと絶縁被覆材ペレットに選別する際に、介在物の断片等の不純物は真空吸引されて残存せずペレット中に混入していないから、リサイクル可能な回収資材が得られる。
【００６７】
また、外部被覆切割刃の突出長さＬを、電線外径レーザー測定装置の電線外径測定値に対応して切割刃突出長さ制御部により選定される外部被覆切割刃の被覆切込み深さｄに対し、多心電線の種類別に該切割刃が外部被覆を切込み貫くための不足長さ分を補完する被覆貫通補完長さΔＤを加算した被覆貫通長さＬになるように制御するので、同外径の各種多心電線の外部被覆の厚さが種々異なってもその各々の外部被覆厚さを測定する必要なく、すべて完全に切り割ることが可能になり、多数の廃棄多心電線の解体処理作業を容易、迅速に行うことができる。さらに、該切割刃が外部被覆を充分に切込み貫くように前記被覆貫通長さを選定することにより、該切割刃が外部被覆の直下の撚合心線押さえ巻きテープも切り裂くので、この撚合心線押さえ巻きテープを真空吸引により取り除き回収する作業を行うことが可能になる。
【００６８】
また、多心電線の絶縁被覆心線群を回転ローラで挟んで絶縁被覆を押し潰す心線絶縁被覆押潰ローラ装置の、１対の回転ローラの回転の周速度を互いに異ならせたので、絶縁被覆の一方の側面部分と反対側の側面部分とが不均一な押圧力により歪んでひび割れが生じ、絶縁被覆の厚さが厚くても確実に押し潰して割ることができ、剥離が容易になる。
【００６９】
また、電線挿入ガイドの電線挿通間隔と電線挟持移送回転ベルト装置の電線挟持間隔を電線外径測定値に対応して制御するので、太さが異なる電線でも電線挿入ガイドが確実にガイドし、該回転ベルト装置が確実に電線を挟持して移送することができる。
【００７０】
また、電線挟持移送回転ベルト装置において挟持移送されながら切割刃で切り割られる外部被覆を、切割間隙に配置した切割被覆分離ガイドにより両側外方にガイドするので、切り割られた外部被覆の剥離を迅速に行うことができる。
【図面の簡単な説明】
【図１】本発明の工程の流れの概略を示す平面図
【図２】電線挟持移送回転ベルト装置と外部被覆切割装置とその周辺装置各部の１実施形態を示す図
【図３】電線挟持移送回転ベルト装置の動作を説明するための概略平面図
【図４】電線挟持移送回転ベルト装置の動作を説明するための概略側面図
【図５】電線挿入ガイドの動作を説明するための概略図
【図６】外部被覆切割装置の動作を説明するための概略図
【図７】撚合心線・介在物分離並列装置と真空吸引装置９（９ａ、９ｃ）の概略斜視図
【図８】撚合介在物の真空吸引装置の１実施形態の斜視図
【図９】撚合心線押さえ巻きテープの真空吸引装置の１実施形態の断面図
【図１０】心線絶縁被覆押潰ローラ装置の概略図
【図１１】ペレット細断回転刃装置の概略図
【図１２】解体される多心電線の１例の断面図
【符号の説明】
１；電線外径レーザー測定装置
２；電線挿入ガイド
３；電線挟持移送回転ベルト装置
３１：回転ベルト
４；電線挟持間隔制御部
５：外部被覆切割装置
５１：外部被覆切割刃
６：切割刃突出長さ制御部
７：切割被覆分離ガイド
８：撚合心線・介在物分離並列装置
８１：固定押さえローラ
８２：回動ローラ
８３：回動ローラ支持回転枠
８４：心線分離整列ローラ
９、９ａ、９ｂ、９ｃ：真空吸引装置
１０：心線絶縁被覆押潰ローラ装置
１０ａ、１０ｂ：回転ローラ
１１：ペレット細断回転刃装置
１２：導体・絶縁被覆ペレット選別装置
Ａ：多心電線
Ｂ：外部被覆
Ｃ：撚合心線群
Ｃ０：分離並列心線群
Ｃ１：分離された絶縁被覆心線
Ｋ：撚合介在物
Ｅ：絶縁被覆心線Ｃ１の絶縁被覆
Ｆ：心線導体
Ｔ：撚合心線押さえ巻テープ
ｄ：電線外径測定値に対応して切割刃突出長さ制御部により選定される外部被覆切割刃の被覆切込み深さ
ΔＤ：切割刃の突出長さの不足分を補完して外部被覆を切込み貫く長さに突出させる「被覆貫通補完長さ」
Ｌ：  外部被覆切割刃の被覆貫通長さ
Ｐ：絶縁被覆心線細断ペレット
Ｐ１：導体金属ペレット        Ｐ２：絶縁被覆材ペレット
【図１】
0003603275.tif 000002
【図２】
0003603275.tif 000003
【図３】
0003603275.tif 000004
【図４】
0003603275.tif 000005
【図５】
0003603275.tif 000006
【図６】
0003603275.tif 000007
【図７】
0003603275.tif 000008
【図８】
0003603275.tif 000009
【図９】
0003603275.tif 000010
【図１０】
0003603275.tif 000011
【図１１】
0003603275.tif 000012
【図１２】
0003603275.tif 000013